【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
第１の画像データを含む第１のエレメンタリストリームと上記第１の画像データに関連した所定数の第２の画像データおよび／またはメタデータをそれぞれ含む所定数の第２のエレメンタリストリームとを生成するエンコード部と、
上記エンコード部で生成された上記各エレメンタリストリームをパケット化して得られた各パケットを有するトランスポートストリームを送信する送信部を備え、
上記エンコード部は、少なくとも、上記第１のエレメンタリストリームに、上記各エレメンタリストリームの関連を示すストリーム関連付け情報を挿入する
画像データ送信装置。
【請求項２】
上記ストリーム関連付け情報は、上記各エレメンタリストリームの関連の変化が実際に起きる前に、該変化が起きることを知らせる前触れ情報を含む
請求項１に記載の画像データ送信装置。
【請求項３】
上記エンコード部は、上記エレメンタリストリームに、上記ストリーム関連付け情報をピクチャ単位あるいはＧＯＰ単位で挿入する
請求項１または２に記載の画像データ送信装置。
【請求項４】
上記ストリーム関連付け情報は、上記各エレメンタリストリームを識別するための識別子を用いて、上記各エレメンタリストリームの関連を示す
請求項１から３のいずれかに記載の画像データ送信装置。
【請求項５】
上記送信部は、上記トランスポートストリームに、上記各エレメンタリストリームの識別子と、該各エレメンタリストリームのパケット識別子またはコンポーネント・タグとの対応関係を示す記述子を挿入する
請求項４に記載の画像データ送信装置。
【請求項６】
上記送信部は、上記トランスポートストリームに、上記エレメンタリストリームに上記ストリーム関連付け情報が挿入されているか否か、あるいは、上記エレメンタリストリームに挿入されている上記ストリーム関連付け情報に変更があるか否かを示す記述子を挿入する
請求項１から５のいずれかに記載の画像データ送信装置。
【請求項７】
上記第１のエレメンタリストリームに含まれる第１の画像データの符号化方式と、上記所定数の第２のエレメンタリストリームに含まれる第２の画像データの符号化方式として、任意の符号化方式の組み合わせが可能とされている
請求項１から６のいずれかに記載の画像データ送信装置。
【請求項８】
上記第１の画像データは、立体画像データを構成するベースビューの画像データであり、
上記第２の画像データは、上記立体画像データを構成する上記ベースビュー以外のビューの画像データである
請求項１から７のいずれかに記載の画像データ送信装置。
【請求項９】
上記第１の画像データは、ステレオ立体画像を得るための左眼および右眼の一方の画像データであり、
上記第２の画像データは、上記ステレオ立体画像を得るための左眼および右眼の他方の画像データである
請求項８に記載の画像データ送信装置。
【請求項１０】
上記メタデータは、上記立体画像データに対応した視差情報である
請求項８または９に記載の画像データ送信装置。
【請求項１１】
上記ストリーム関連付け情報は、該ストリーム関連付け情報が挿入されたエレメンタリストリームに含まれる画像データによるビューが、立体表示の際に、マルチビューイングの中のいずれのビューとして表示されるべきかを示すポジション情報を含む
請求項８から１０のいずれかに記載の画像データ送信装置。
【請求項１２】
上記第１の画像データは、スケーラブル符号化画像データを構成する最下位層の符号化画像データであり、
上記第２の画像データは、上記スケーラブル符号化画像データを構成する上記最下位層以外の階層の符号化画像データである
請求項１から１１のいずれかに記載の画像データ送信装置。
【請求項１３】
上記ストリーム関連付け情報は、上記第１の画像データおよび上記第２の画像データの出力解像度の制御情報をさらに含む
請求項１から１２のいずれかに記載の画像データ送信装置。
【請求項１４】
上記ストリーム関連付け情報は、上記所定数の第２の画像データのそれぞれに対して表示必須とするか否かを指定する制御情報をさらに含む
請求項１から１３のいずれかに記載の画像データ送信装置。
【請求項１５】
第１の画像データを含む第１のエレメンタリストリームと上記第１の画像データに関連した所定数の第２の画像データおよび／またはメタデータをそれぞれ含む所定数の第２のエレメンタリストリームとを生成するエンコードステップと、
上記エンコードステップで生成された上記各エレメンタリストリームをパケット化して得られた各パケットを有するトランスポートストリームを送信する送信ステップを備え、
上記エンコードステップでは、少なくとも、上記第１のエレメンタリストリームに、上記各エレメンタリストリームの関連を示すストリーム関連付け情報を挿入する
画像データ送信方法。
【請求項１６】
第１の画像データを含む第１のエレメンタリストリームと上記第１の画像データに関連した所定数の第２の画像データおよび／またはメタデータをそれぞれ含む所定数の第２のエレメンタリストリームとをパケット化して得られた各パケットを有するトランスポートストリームを受信する受信部を備え、
少なくとも、上記第１のエレメンタリストリームには、上記各エレメンタリストリームの関連を示すストリーム関連付け情報が挿入されており、
上記ストリーム関連付け情報に基づいて、上記受信部で受信された上記第１のエレメンタリストリームから上記第１の画像データを取得し、上記受信部で受信された上記所定数の第２のエレメンタリストリームから上記第１の画像データに関連した上記第２の画像データおよび／またはメタデータを取得するデータ取得部をさらに備える
画像データ受信装置。
【請求項１７】
上記データ取得部で取得された上記第１の画像データおよび上記第２の画像データの解像度を調整して出力する解像度調整部をさらに備え、
上記ストリーム関連付け情報は、上記第１の画像データおよび上記第２の画像データの出力解像度の制御情報を含み、
上記解像度調整部は、上記出力解像度の制御情報に基づいて、上記第１の画像データおよび上記第２の画像データの解像度を調整する
請求項１６に記載の画像データ受信装置。
【請求項１８】
上記データ取得部で取得された上記第１の画像データおよび上記第２の画像データに基づく画像表示態様を選択する画像表示態様選択部をさらに備え、
上記ストリーム関連付け情報は、上記所定数の第２の画像データのそれぞれに対して表示必須とするか否かを指定する制御情報を含み、
上記画像表示態様選択部は、上記制御情報に基づいて画像表示態様の選択が制限される
請求項１６または１７に記載の画像データ受信装置。
【請求項１９】
上記データ取得部で取得された上記メタデータは、上記立体画像データに対応した視差情報であり、
該視差情報を用い、上記データ取得部で取得された上記第１の画像データおよび上記第２の画像データに補間処理を施して、所定数のビューの表示画像データを得るポスト処理部をさらに備える
請求項前記１６から１８のいずれかに記載の画像データ受信装置。
【請求項２０】
第１の画像データを含む第１のエレメンタリストリームと上記第１の画像データに関連した所定数の第２の画像データおよび／またはメタデータをそれぞれ含む所定数の第２のエレメンタリストリームとをパケット化して得られた各パケットを有するトランスポートストリームを受信する受信ステップを備え、
少なくとも、上記第１のエレメンタリストリームには、上記各エレメンタリストリームの関連を示すストリーム関連付け情報が挿入されており、
上記ストリーム関連付け情報に基づいて、上記受信ステップで受信された上記第１のエレメンタリストリームから上記第１の画像データを取得し、上記受信ステップで受信された上記所定数の第２のエレメンタリストリームから上記第１の画像データに関連した上記第２の画像データおよび／またはメタデータを取得するデータ取得ステップをさらに備える
画像データ受信方法。